(57)【要約】      （修正有）【課題】不純物による光学部材の光学性能の劣化を抑えることが可能な投射型表示装置を提供する。【解決手段】投射型表示装置は、光量制御部５を収納した本体１と、本体の内部に設けられ、空気の不純物濃度の情報を取得する内部センサ１９、２０と、前記光量制御部に前記空気を吹き付ける吸気ファン２１、２２と、前記第１の取得手段が取得した前記空気の前記不純物濃度が第１の設定値よりも高い場合の前記ファンの駆動電圧が、前記空気の前記不純物濃度が第１の設定値以下の場合の前記ファンの駆動電圧よりも低くなるように前記ファンの駆動を制御するコントローラと、を有する。【選択図】図１
2014174499.tif 000002
【特許請求の範囲】
【請求項１】
光を投射する投射型表示装置であって、
光学部材を内部に収納した本体と、
前記本体の内部に設けられ、前記本体の内部の空気の不純物濃度の情報を取得する第１の取得手段と、
前記光学部材に前記空気を案内するファンと、
前記第１の取得手段が取得した前記空気の前記不純物濃度が第１の設定値よりも高い場合の前記ファンの駆動電圧が、前記空気の前記不純物濃度が第１の設定値以下の場合の前記ファンの駆動電圧よりも低くなるように前記ファンの駆動を制御する制御手段と、
を有することを特徴とする投射型表示装置。
【請求項２】
前記光を発する光源を更に有し、
前記制御手段は、前記空気の前記不純物濃度が前記第１の設定値よりも高い場合の前記光源の明るさが、前記空気の前記不純物濃度が第１の設定値以下の場合の前記光源の明るさよりも低くなるように前記光源の駆動を制御することを特徴とする請求項１に記載の投射型表示装置。
【請求項３】
前記空気を冷却する冷却手段を更に有し、
前記制御手段は、前記空気の前記不純物濃度が前記第１の設定値よりも高い場合に前記冷却手段を駆動させ、前記空気の前記不純物濃度が第１の設定値以下の場合に前記冷却手段を停止させることを特徴とする請求項１または２に記載の投射型表示装置。
【請求項４】
光を投射する投射型表示装置であって、
光学部材を内部に収納し、前記光学部材を冷却する空気を取り込む第１の吸気口と第２の吸気口を有する本体と、
前記本体の内部に設けられ、前記本体の内部の空気の不純物濃度の情報を取得する第１の取得手段と、
前記第１の吸気口を覆い、前記空気の不純物を低減する第１のフィルタと、
前記第２の吸気口を覆い、前記第１のフィルタよりも前記空気の前記不純物をより多く低減する第２のフィルタと、
前記空気が通過するフィルタとして前記第１のフィルタと前記第２のフィルタの一つを選択する選択手段と、
前記第１の取得手段が取得した前記空気の前記不純物濃度が第１の設定値以下の場合には前記空気は前記第１のフィルタを通過して前記光学部材を冷却し、前記第１の取得手段が取得した前記空気の前記不純物濃度が第１の設定値よりも高い場合には前記空気は前記第２のフィルタを通過して前記光学部材を冷却するように前記選択手段による選択を制御する制御手段と、
を有することを特徴とする投射型表示装置。
【請求項５】
前記選択手段は前記本体の内部の前記空気の通路に回転可能に設けられた扉であることを特徴とする請求項４に記載の投射型表示装置。
【請求項６】
光を投射する投射型表示装置であって、
光学部材を内部に収納した本体と、
前記本体の内部に設けられ、前記本体の内部の空気の不純物濃度の情報を取得する第１の取得手段と、
アラームを出力するアラーム出力手段と、
前記第１の取得手段が取得した前記空気の前記不純物濃度が第１の設定値よりも高い場合には前記アラームを出力するように前記アラーム出力手段を制御する制御手段と、
を有することを特徴とする投射型表示装置。
【請求項７】
前記アラーム出力手段は、前記アラームを、ネットワーク機器に出力することを特徴とする請求項６に記載の投射型表示装置。
【請求項８】
前記アラーム出力手段は、前記本体に設けられて前記本体の動作情報を表示する表示手段であることを特徴とする請求項６に記載の投射型表示装置。
【請求項９】
前記アラーム出力手段は、前記光が投射される被投射面に前記アラームを投射することを特徴とする請求項６に記載の投射型表示装置。
【請求項１０】
前記本体の外部に設けられ、前記空気の不純物濃度の情報を取得する第２の取得手段を更に有し、
前記制御手段は、前記第２の取得手段が取得した前記空気の前記不純物濃度が第２の設定値以下で、前記第１の取得手段が取得した前記空気の前記不純物濃度が前記第１の設定値よりも高い場合には待機状態に移行することを特徴とする請求項６に記載の投射型表示装置。
【請求項１１】
前記本体の外部に設けられ、前記空気の不純物濃度の情報を取得する第２の取得手段を更に有し、
前記制御手段は、前記第２の取得手段が取得した前記空気の前記不純物濃度が第２の設定値よりも高く、前記第１の取得手段が取得した前記空気の前記不純物濃度が前記第１の設定値よりも低い場合には前記本体の外部の前記空気の前記不純物濃度が高い旨のアラームを出力することを特徴とする請求項６に記載の投射型表示装置。
【請求項１２】
前記制御手段は、前記アラーム出力手段が前記アラームを出力した後で前記第１の取得手段が取得した前記空気の前記不純物濃度が前記第１の設定値よりも高いままであれば待機状態に移行することを特徴とする請求項６に記載の投射型表示装置。
【発明の詳細な説明】
【技術分野】
【０００１】
本発明は、液晶プロジェクタ等の投射型表示装置に関する。
【背景技術】
【０００２】
投射型表示装置において、外気を光学部材に吹き付けることによって冷却する場合、外気にタバコの煙や調理の煙等の不純物が含まれていると、光学部材に不純物が付着して光学性能が劣化するおそれがある。そこで、特許文献１では使用時間に基づいて、信号処理回路による表示画像の色バランスを改善する方法を提案している。
【先行技術文献】
【特許文献】
【０００３】
【特許文献１】特開２００８−３９９５７号公報
【発明の概要】
【発明が解決しようとする課題】
【０００４】
不純物は液晶パネルの表面に付着するとパネル面を曇らせる。特許文献１の方法は、このような汚れによる輝度低下を防止できず、表示画像は次第に暗くなる。汚れ原因により劣化特性が異なるために十分な補正ができず、また、部分的な汚れによって明暗のムラも表示される。スリットやＮＤフィルタで色バランスを補正することにより光源からの光を制限する構成も開示されているが、明るさが暗くなるとともに色バランスを補正するために電力効率が悪くなる。さらに、光学部材の不純物付着により、光学部材の温度が上昇し光学部材の劣化を促進させるという不具合もある。
【０００５】
本発明は、不純物による光学部材の光学性能の劣化を抑えることが可能な投射型表示装置を提供することを例示的な目的とする。
【課題を解決するための手段】
【０００６】
本発明の投射型表示装置は、光を投射する投射型表示装置であって、光学部材を内部に収納した本体と、前記本体の内部に設けられ、前記本体の内部の空気の不純物濃度の情報を取得する第１の取得手段と、前記光学部材に前記空気を案内するファンと、前記第１の取得手段が取得した前記空気の前記不純物濃度が第１の設定値よりも高い場合の前記ファンの駆動電圧が、前記空気の前記不純物濃度が第１の設定値以下の場合の前記ファンの駆動電圧よりも低くなるように前記ファンの駆動を制御する制御手段と、を有することを特徴とする。
【発明の効果】
【０００７】
本発明によれば、不純物による光学部材の光学性能の劣化を抑えることが可能な投射型表示装置を提供することができる。
【図面の簡単な説明】
【０００８】
【図１】本実施形態の投射型表示装置の外観と内部構成を示す平面図である。
【図２】図１に示す投射型表示装置のブロック図である。
【図３】図１に示す投射型表示装置の動作を説明するためのフローチャートである。
【発明を実施するための形態】
【０００９】
図１（ａ）は、本実施形態の投射型表示装置（画像表示装置）の外観を示す平面図である。本実施形態の投射型表示装置は、一例として、光を被投射面に投射する液晶プロジェクタである。本実施形態の投射型表示装置は、例えば、タバコの煙や料理の油煙などがある室内において、ゴルフの練習のためにフェアウェイ等の画像をスクリーンに投射する用途に好適である。
【００１０】
本体１は、投射光学系（投射レンズ）６を有し、図１（ａ）の上側に投射を行い、本体１の右側１ａと下側１ｂから外気を光学部材の冷却用に取り込んで本体１の左側１ｃに排気している。また、本体１の表面には表示部８が設けられている。
【００１１】
図１（ｂ）は、投射型表示装置の内部構造を示す概略平面図である。投射型表示装置の本体１は、光源２、光源光学系３、ミラー４、光量制御部５、投射光学系６、電気基板７、表示部８、フィルタＡ１１、１３、フィルタＢ１２、１４、扉１５、１６、外部センサ１７、１８、内部センサ１９、２０を有する。また、投射型表示装置は、吸気ファン２１、２２、排気ファン２３、冷却器２４、２５を更に有する。
【００１２】
本体１は、右側１ａに吸気口１ａ１、１ａ２とその間の取付部１ａ３を有し、下側１ｂに吸気口１ｂ１、１ｂ２とその間の取付部１ｂ３を有する。
【００１３】
光源２は、光を発し、本実施形態では超高圧水銀ランプであるが、それに限定されるものではなく、ＬＥＤやレーザー光源を用いてもよい。光源２は発熱素子であり、光源２からの光による熱は本体１内の光学部材の変形や光学性能の劣化をもたらすため、光学部材は冷却される。
【００１４】
光源光学系３は、光源２からの光を集光しミラー４に向けて射出する。例えば、光源光学系３は光源２（ランプの発光部）から全方向に射出した光束を略平行光に変換して射出する放物面リフレクタ２であってもよい。
【００１５】
ミラー４は、光源光学系３から射出された光を折り曲げる偏向部材である。本実施形態の折り曲げ角度は９０度であるが、これに限定されるものではない。
【００１６】
光量制御部５は、本体１の内部に収納され、ミラー４によって偏向された光の強度を調整し、色分解合成光学系を有する光学部材である。色分解合成光学系は、光を複数の色成分に分光する色分離手段と、各色成分の光（色光）を映像信号に応じて変調して反射する光変調手段と、光変調された全ての色成分の光を合成する合成手段と、を含む。このうち光変調手段は、赤用の反射型液晶表示素子、緑用の反射型液晶表示素子、青用の反射型液晶表示素子を含み、各液晶表示素子は画像変調素子（液晶パネル）として機能する。色分解合成光学系の光学部材は光源からの光照射による熱により光学性能が低下するので冷却が必要である。また、液晶パネルの表面に硫酸アンモニウムなどの不純物が付着すると液晶パネルが曇り、輝度の低下や部分的な明暗ムラが発生するため、冷却風に含まれる不純物の除去が必要である。
【００１７】
投射光学系６は、光量制御部５によって光量調節された光をスクリーン面（被投射面）に投射する。投射光学系６から投射される映像は、アラームを被投射面に投射するアラーム出力手段としても機能する。
【００１８】
電気基板７には、各種の回路が搭載されている。表示部８は、本体１の動作情報や各種の情報を表示し、特に後述するアラームの表示を行う表示手段であり、アラームを出力するアラーム出力手段としても機能する。但し、アラーム出力手段は、表示部８に限定されない。なお、アラームは不図示のＬＥＤのエラー表示（赤色表示や点滅）やスピーカーからの警告音によってなされてもよい。
【００１９】
フィルタＡ１１は、図１（ｂ）の右側１ａに左向きの実線で示す光量制御部５を冷却する空気（外気）を取り込む第１の特性を有するフィルタであり、右側１ａの吸気口（第１の吸気口）１ａ１を覆うように取り付けられる。
【００２０】
フィルタＢ１２は、図１（ｂ）の右側１ａに左向きに実線で示す光量制御部５を冷却する空気（外気）を取り込む第２の特性を有するフィルタであり、右側１ａの吸気口（第２の吸気口）１ａ２を覆うように取り付けられる。
【００２１】
フィルタＡ１３は、図１（ｂ）の下側１ｂに上向きに点線で示す光源２を冷却する空気（外気）を取り込む第１の特性を有するフィルタであり、下側１ｂの吸気口（第１の吸気口）１ｂ１を覆うように取り付けられる。
【００２２】
フィルタＢ１４は、図１（ｂ）の下側１ｂに上向きに実線で示す光源２を冷却する空気（外気）を取り込む第２の特性を有するフィルタであり、下側１ｂの吸気口（第２の吸気口）１ｂ２を覆うように取り付けられる。
【００２３】
第１の特性を有するフィルタＡ（第１のフィルタ）１１、１３は、通常のフィルタである。第２の特性を有するフィルタＢ（第２のフィルタ）１２、１４は、高密度および／または静電気により不純物を吸着しやすいフィルタである。フィルタＡ１１、１３、Ｂ１２、１４は空気中の不純物を除去するために設けられるが、フィルタＢはフィルタＡよりも目が細かく静電気による吸着機能を有するので、それを通過する空気の不純物をより多く低減することが可能である。不純物は、例えば、硫酸アンモニウムを含むが、これに限定されるものではない。
【００２４】
扉１５は、光量制御部５の冷却に使用する空気が通過するフィルタをフィルタＡ１１とフィルタＢ１２の間で選択する選択手段である。扉１５は、図１（ｂ）に示す位置（第１の位置）と太い破線で示す位置（第２の位置）との間で回転可能に、本体１の右側１ａの取付部１ａ３の内面に設けられている。扉１５が第１の位置にあるときは、扉１５はフィルタＢ１２の内面を遮蔽し、この結果、点線矢印で示すように、フィルタＡ１１を介して外気が取り込まれ、フィルタＢ１２からは外気が取り込まれない。また、扉１５が第２の位置にあるときは、扉１５はフィルタＡ１１を通過した空気の通路を遮蔽するので、実線で示すように、フィルタＢ１２を介して外気が取り込まれ、フィルタＡ１１を通過した空気は太い破線で示すよりも本体１の内側には外気が取り込まれない。
【００２５】
扉１６は、光源２の冷却に使用する空気が通過するフィルタをフィルタＡ１３とフィルタＢ１４の間で選択する選択手段である。扉１６は、図１（ｂ）に示す位置（第３の位置）と太い破線で示す位置（第４の位置）との間で回転可能に、本体１の下側１ｂの取付部１ｂ３の内面に設けられている。扉１６が第３の位置にあるときは、扉１６はフィルタＢ１４の内面を遮蔽し、この結果、点線矢印で示すように、フィルタＡ１３を介して外気が取り込まれ、フィルタＢ１４からは外気が取り込まれない。また、扉１６が第４の位置にあるときは、扉１６はフィルタＡ１３を通過した空気の通路を遮蔽するので、実線で示すように、フィルタＢ１４を介して外気が取り込まれ、フィルタＡ１３を通過した空気は太い破線で示すよりも本体１の内側には外気が取り込まれない。
【００２６】
外部センサ１７は、図１（ｂ）に示す右側１ａの吸気口１ａ２の下側の本体の外部（外面）に設けられ、フィルタＡ１１またはＢ１２を通過し得る本体１の近傍の外気の不純物濃度を測定し、その情報を取得する取得手段（第２の取得手段）である。なお、外部センサ１７の位置は、図１（ｂ）に示す右側１ａの吸気口１ａ１の上側や取付部１ａ３の本体外面など図１（ｂ）に示すものに限定されない。
【００２７】
外部センサ１８は、図１（ｂ）に示す下側１ｂの吸気口１ｂ１の右側の本体の外部（外面）に設けられ、フィルタＡ１３またはＢ１４を通過し得る本体１の近傍の外気の不純物濃度を測定し、その情報を取得する取得手段（第２の取得手段）である。
【００２８】
内部センサ１９は、フィルタＡ１１またはＢ１２を通過した空気の通路Ｐ１の吸気口１ａ２の近傍の本体１の内部に設けられ、フィルタＡ１１またはＢ１２を通過した本体内部の空気の不純物濃度を測定し、その情報を取得する取得手段（第１の取得手段）である。
【００２９】
内部センサ２０は、フィルタＡ１３またはＢ１４を通過した空気の通路Ｐ２の吸気口１ｂ２の近傍の本体の内部に設けられ、フィルタＡ１３またはＢ１４を通過した本体内部の空気の不純物濃度を測定し、その情報を取得する取得手段（第１の取得手段）である。
【００３０】
各センサ１７〜２１は気体中の不純物濃度を検出するガスセンサであってもよい。ガスセンサは気体中の少なくとも揮発性有機化合物を検出してもよい。あるいは、各センサ１７〜２１はガス状のオイル成分（脂分）を検出可能なセンサであってもよい。
【００３１】
吸気ファン２１は、フィルタＡ１１またはＢ１２を通過した空気を、光量制御部５に点線矢印Ｅ１に示すように案内してこれを冷却する。吸気ファン２１は吸気方向と排気方向が９０度なしているファンである。
【００３２】
吸気ファン２２は、フィルタＡ１３またはＢ１４を通過した空気を、光源２に点線矢印Ｅ２に示すように案内してこれを冷却する。吸気ファン２２は吸気方向と排気方向が９０度なしているファンである。
【００３３】
排気ファン２３は、光源２および光量制御部５の冷却に使用した空気を本体１の外部に、点線矢印Ｅ３に示すように、排気するが、排気ファン２３も空気を光源２および光量制御部５に案内する機能を有する。排気ファン２３は吸気方向と排気方向が平行なファンである。
【００３４】
冷却器２４は、内部センサ１９の近傍の空気の通路Ｐ１に設けられ、フィルタＡ１１またはＢ１２を通過した後であって吸気ファン２１に吸気される前の空気を冷却する冷却手段である。冷却器２５は、内部センサ２０の近傍の空気の通路Ｐ２に設けられ、フィルタＡ１３またはＢ１４を通過した後であって吸気ファン２２に吸気される前の空気を冷却する冷却手段である。
【００３５】
図２は、投射型表示装置の内部の制御系のブロック図である。同図に示すように、投射型表示装置は、電源供給部３０、光源駆動回路３１、コントローラ３２、画像処理部３３、ファン駆動回路３５、扉駆動回路３６、冷却器駆動回路３７、ＥＥＰＲＯＭ３８、ＮＷ駆動回路３９、商用電源入力端子４０を有する。
【００３６】
電源供給部３０は、商用電源入力端子４０から入力された電源から光源駆動回路３１および内部電気回路に電源を供給する。光源駆動回路３１は、電源供給部３０から供給された電源とコントローラ３２からの制御信号に従って光源２を駆動し、光源２がランプの場合にはバラスト回路となる。
【００３７】
コントローラ３２は、投射型表示装置の本体１の各部の動作を制御する制御手段であり、ＣＰＵやＭＰＵなどのマイクロコンピュータから構成される。コントローラ３２は、後述するカウンタを含む。
【００３８】
画像処理部３３は入力端子４１に入力された画像信号を処理して光量制御部５を駆動する。ファン駆動回路３５は、ファン２１〜２３をコントローラ３２からの制御信号に従って駆動する。
【００３９】
扉駆動回路３６は、コントローラ３２の制御信号に従って扉１５、１６の位置を調節する。冷却器駆動回路３７は、コントローラ３２からの制御信号に従って冷却器２４、２５を駆動する。
【００４０】
ＥＥＰＲＯＭ３８は、外部センサ１７、１８と内部センサ１９、２０による不純物濃度の測定値と各種の閾値（設定値）、扉１５、１６の現在の位置の情報、冷却器２４、２５の駆動状態を記憶する記憶手段である。
【００４１】
ＮＷ駆動回路（ネットワーク駆動手段）３９はネットワークを介してコントローラ３２が外部のＰＣ等と通信を行う。ＮＷ駆動回路３９はアラームを外部装置（ネットワーク機器）にアラームを出力するアラーム出力手段としても機能する。商用電源入力端子４０には、商用電源が入力される。
【００４２】
図３は、コントローラ３２の処理フローを記載したフローチャートであり、「Ｓ」は「ステップ」、「Ｙ」は「はい」、「Ｎ」は「いいえ」を表す。図３に示すフローチャートは、コンピュータに各ステップの手順を実行させるためのプログラムとして具現化が可能である。
【００４３】
Ｓ０で処理が開始されると、Ｓ１において、コントローラ３２は、外部センサ１７、１８と内部センサ１９、２０の不純物濃度の測定値を入手し、ＥＥＰＲＯＭ３８に保存する。また、初期状態では、コントローラ３２は、扉１５、１６を図１（ｂ）に示すように配置し、フィルタＡ１１，１３から外気を取り込むようにする。これは、吸気ファン２１、２２にとっては、同じ吸引力を使用した場合に、フィルタＡ１１、１３は目が粗いから空気を取り込みやすいのに対してフィルタＢ１２、１４は目が細かいから空気を取り込みにくいからである。言い換えれば、フィルタＡ１１、１３を使用した方がフィルタＢ１２、１４を使用するよりも冷却効率が高いからである。
【００４４】
次に、Ｓ２において、コントローラ３２は、Ｓ１で入手した外部センサ１７、１８のそれぞれの測定値が設定値よりも高いかどうかを判断する。ここで、Ｄ１７を外部センサ１７による不純物濃度の測定値、Ｄ１８を外部センサ１８による不純物濃度の測定値、ＤＳ１を設定値（第２の設定値）とすると、以下の両式が共に成立すればＳ３に移行し、いずれかでも不成立であればＳ４に移行する。
【００４５】
Ｄ１７≦ＤＳ１                   （１）
Ｄ１８≦ＤＳ１                   （２）
Ｓ３においては、数式１、２が共に成立するので本体１の外部の空気の不純物濃度は低い。そこで、コントローラ３２は、内部センサ１９、２０のそれぞれの測定値が設定値よりも高いかどうかを判断する。ここで、Ｄ１９を内部センサ１９による不純物濃度の測定値、Ｄ２０を内部センサ２０による不純物濃度の測定値、ＤＳ３を設定値（第１の設定値）とする。コントローラ３２は、以下の両式が共に成立すれば不純物濃度が低いので問題なしとしてＳ１３に移行する。
【００４６】
不純物濃度の低い環境であれば（Ｓ３のＮ）、コントローラ３２の制御下でファン駆動回路３５によって駆動された吸気ファン２１、２２によりフィルタＡ１１、１３から取り込まれた空気は冷却される。これにより、光学部材の熱変形による光学性能の低下を防止することができる。冷却後の空気は排気ファン２３により排気される。Ｓ１３では、カウンタＮを０に設定し、一定時間後にＳ１に移行する。
【００４７】
一方、コントローラ３２は、数式３、４のいずれかでも不成立であれば内部センサ１９、２０の少なくとも一方の測定値が高い状態であるため、Ｓ１２に移行する。
【００４８】
Ｄ１９≦ＤＳ３                   （３）
Ｄ２０≦ＤＳ３                   （４）
Ｓ１２において、コントローラ３２は、本体外部の空気の不純物濃度が低く（Ｓ２のＮ）、本体内部の空気の不純物濃度が高い状態を異常と判断し、管理者にＮＷ駆動回路３９を介して「メンテナンスが必要または機器異常」と送信し、Ｓ１１に移行する。Ｓ１１では、コントローラ３２は、本体１の状態を投射状態から待機状態に移行させる。即ち、コントローラ３２は、本体１の外部の空気の不純物濃度が第２の設定値以下で、本体１の内部の空気の不純物濃度が第１の設定値よりも高い場合には待機状態に移行する。
【００４９】
Ｓ２でＹとなると、数式１、２の少なくとも一方が不成立であるので本体１の外部の空気の不純物濃度は右側１ａと下側１ｂの少なくとも一方が高い。例えば、喫煙者が本体１の近くでタバコを吸うと、その煙を含んだ不純物濃度の高い空気が吸気口１ａ１または１ｂ１の近くに流れ、外部センサ１７と１８の少なくとも一方が検出した不純物濃度が上昇して設定値を超えた場合にＳ２でＹとなる。
【００５０】
Ｓ４では、Ｓ３と同様に、コントローラ３２は、内部センサ１９、２０の測定値が第２の設定値よりも高いかどうかを判断する。数式３と４が共に成立すればＳ１４に移行する。Ｓ１４では、内部センサ１９、２０が測定した不純物濃度が低いので、コントローラ３２は、ＮＷ駆動回路３９を介して、管理者に本体１の外部の空気の不純物濃度が（設定値よりも）高い旨を通知してＳ１３に移り、再度一連の測定作業を繰り返す。即ち、この時点では、外部の空気の不純物濃度が上昇して外部環境が悪化しているが、内部の空気の不純物濃度が上がっていないので、投射型表示装置の動作は変更していない。フィルタＡにより内部の空気の不純物濃度が上昇しない程度の環境であれば、Ｓ１、Ｓ２、Ｓ４、Ｓ１４、Ｓ１３、Ｓ１のルーチンを繰り返すことになる。
【００５１】
しかし、測定を繰り返すたびに徐々に内部の空気の不純物濃度も上昇し、設定値よりも大きくなると（Ｓ４のＹ）、数式３と４の少なくとも一方が不成立となり、Ｓ５に移行する。この状態では、本体１の外部においても内部においても空気の不純物濃度は右側１ａと下側１ｂの少なくとも一方が高いので、状況は悪化している。
【００５２】
Ｓ５において、コントローラ３２は、ＥＥＰＲＯＭ３８（の扉状態レジスタ）に保存されている情報を参照することによって、現在選択されているフィルタがフィルタＡかＢかを判断する。フィルタＡの場合はＳ１５に移行し、フィルタＢの場合はＳ６に移行する。
【００５３】
ここでは、フィルタＡが使用されているからＳ１５に移行し、コントローラ３２は、扉１５、１６がフィルタＢ１２、１４を選択するように、扉駆動回路３６を制御し、ＥＥＰＲＯＭ３８に扉１５、１６の位置を保存する。測定値が設定値を超えた側のフィルタＡのみをフィルタＢに交換してもよい。Ｓ１５において、フィルタＢに切り替えたことによって本体内部の空気の不純物濃度は低減される。このように、コントローラ３２は、空気の不純物濃度が第１の設定値以下の場合には空気はフィルタＡを通過して光学部材を冷却するように扉１５、１６による選択を制御する。また、空気の不純物濃度が第１の設定値よりも高い場合には空気はフィルタＢを通過して光学部材を冷却するように扉１５、１６による選択を制御する。
【００５４】
次に、コントローラ３２は、Ｓ１６において、内部の発熱（温度上昇）を抑えるために光源２の明るさを下げ、Ｓ１７において、ファン２１〜２３の駆動電圧を低くして風量を抑え、Ｓ１８において、表示部８にアラーム出力をする。即ち、Ｓ１７においては、コントローラ３２は、内部センサ１９、２０が取得した空気の不純物濃度が第１の設定値よりも高い場合のファンの駆動電圧が、第１の設定値以下の場合のファンの駆動電圧よりも低くなるようにファンの駆動を制御する。不純物濃度の高い空気の取り込み速度を抑えることにより不純物の内部への侵入を抑えることができる。また、その場合の発熱の影響を減らすために、Ｓ１６において、光源２の明るさを下げている。即ち、コントローラ３２は、空気の不純物濃度が前記第１の設定値よりも高い場合の光源２の明るさが、第１の設定値以下の場合の光源２の明るさよりも低くなるように光源２の駆動を制御する。
【００５５】
Ｓ１８では、光源２の明るさを抑えたことにより、画像処理部３３のガンマ変換特性を変更して輝度低下を一部少なくすることは可能であるが、白の明るさは低下してしまい、ユーザーには輝度低下が認識されてしまう。このため、「環境条件悪化のために輝度レベルを抑えて投影しています。換気をお願いします」等のアラームを表示部８に表示し（ＬＥＤ表示や警告音でもよい）、Ｓ１９に移る。
【００５６】
Ｓ１９では、コントローラ３２は、ＮＷ駆動回路３９を介して、不純物濃度が上昇したためにフィルタを切り替えて光源２の明るさを抑えて空冷能力を落とした旨の通知を管理者に対して行い、Ｓ１３に移る。この通知は、例えば、「環境条件悪化のために輝度レベルを抑えて投影しています。換気をお願いします」であってもよい。フィルタＢへの交換とファンの駆動電圧を上げることによって本体内部の空気の不純物濃度が低下すれば、Ｓ１、Ｓ２、Ｓ４、Ｓ１４、Ｓ１３のルーチンが繰り返されることになる。
【００５７】
環境が改善しない場合には、Ｓ４からＳ５に移り、現在はフィルタＢが選択されているのでＳ６に移る。Ｓ６では、コントローラ３２は、本体内部の空気の不純物濃度が高いため、ＥＥＰＲＯＭ３８に保存された情報に基づいて、現在、冷却器２４、２５によって取り込んだ空気を冷却しているかどうかを判断する。Ｓ６において、冷却していない時にはＳ２０に移行し、冷却しているときにはＳ７に移行する。現在は、空気を冷却していないので、Ｓ２０に移る。
【００５８】
Ｓ２０では、コントローラ３２は、冷却器駆動回路３７によって冷却器２４、２５を駆動し、ＥＥＰＲＯＭ３８に冷却器２４、２５の駆動状態を停止状態から駆動状態と書き替え、Ｓ２１に移動する。冷却器２４、２５を用いて空気を冷却することにより、光学部材の上昇温度を抑えることができるので、Ｓ２１において、コントローラ３２は、ファン駆動電圧を下げて不純物濃度の高い空気の取り込み速度を抑える。ここで、Ｓ１６で行ったように光源２の光量を下げてそれに合わせてファン風量を下げることも可能である。このように、本実施形態では、コントローラ３２は、空気の不純物濃度が第１の設定値よりも高い場合に冷却器２４、２５を駆動させ、空気の不純物濃度が第１の設定値以下の場合に冷却器２４、２５を停止させる。
【００５９】
Ｓ２２において、コントローラ３２は、表示部８に「環境条件が非常に悪化しています。換気をお願いします」等のアラームを表示する（ＬＥＤ表示や警告音でもよい）。また、コントローラ３２は、Ｓ２３において、ＮＷ駆動回路３９を介して、管理者にその旨を通知し、Ｓ１３に移動する。
【００６０】
これでも環境が改善されずに悪化するとＳ５からＳ６を経てＳ７に移る。Ｓ７では、カウンタＮに１を加算し、Ｓ８ではカウンタＮの値が設定値Ｋ（第３の設定値）よりも大きいかどうかを判断する。即ち、Ｓ７は、Ｓ１３を通らずに、Ｓ１、Ｓ２、Ｓ４、Ｓ５、Ｓ６、Ｓ７の経路を何回連続して通ったかをカウントする。ＮがＫ以下であるときはＳ１に移行し、ＮがＫよりも大きければＳ９に移行する。実際に環境が悪化して改善されていなければ、ＮはＫよりも大きくなる。
【００６１】
Ｓ９では、カウンタＮにより、Ｋ回分だけ測定しても本体１の内部の空気の不純物濃度が第１の設定値よりも高いままである。このため、コントローラ３２は、「環境が改善されずこのまま駆動すれば、光学部材の劣化が著しくなり本体寿命を縮めるので、投射を停止します」等のアラームを表示する（ＬＥＤ表示や警告音でもよい）。次に、Ｓ１０では、コントローラ３２は、ＮＷ駆動回路３９を介して、Ｓ９と同様のアラームを管理者に通報し、Ｓ１１に移行する。Ｓ１１では、必要な処理の後で、コントローラ３２は、本体１を投射状態から待機状態（スリープモード）にする。
【００６２】
以上、本実施形態によれば、空気の不純物濃度が改善されない場合には、内部の不純物濃度を抑えるとともに管理者や使用者に警告し、それでも環境が改善されない場合には待機状態になるため、光学部材の不純物による劣化を防止することができる。
【００６３】
以上、本発明の好ましい実施形態について説明したが、本発明はこれらの実施形態に限定されず、その要旨の範囲内で種々の変形及び変更が可能である。例えば、内部センサを設け、外部センサを省いてもよい。また、冷却システムを省いてもよい。更に、Ｓ１８、Ｓ１９、Ｓ２２、Ｓ２３によるアラームの結果、Ｓ４でＮになった場合に、Ｓ１５で変更したフィルタＢをフィルタＡに戻したり、Ｓ２０で駆動した冷却器を停止させたりしてもよい。
【産業上の利用可能性】
【００６４】
本発明は、液晶プロジェクタ等に適用可能である。
【符号の説明】
【００６５】
１…本体、１９、２０…内部センサ（第１の取得手段）、２１、２２…吸気ファン、３２…コントローラ（制御手段）
【図２】
2014174499.tif 000003
【図１】
2014174499.tif 000004
【図３】
2014174499.tif 000005